(57)【特許請求の範囲】
【請求項１】
赤外光を出力する赤外光源を有し、眼瞼の裏面を前記赤外光で照明する赤外照明系と、
可視光を出力する可視光源を有し、被検眼を前記可視光で照明する可視照明系と、
前記赤外光源を点灯及び消灯させる制御と、前記可視光源を点灯及び消灯させる制御とを行う制御部と、
光を検出して画像信号を出力する撮像素子を有し、前記眼瞼の裏面による前記赤外光の反射光を前記撮像素子に導き、かつ前記被検眼による前記可視光の反射光を前記撮像素子に導く撮影系と、
前記赤外光の反射光を検出した前記撮像素子からの前記画像信号に基づくマイボーム腺画像を表示し、かつ前記可視光の反射光を検出した前記撮像素子からの前記画像信号に基づく可視画像を表示する表示部と、
前記眼瞼の裏面に対する前記赤外光の照射方向を変更する第１変更機構と、
を備え、
前記撮像素子は、前記第１変更機構により複数の異なる方向から照射された前記赤外光の反射光をそれぞれ検出して複数の画像信号を出力し、
前記制御部は、
前記複数の画像信号のそれぞれに基づくマイボーム腺画像における輝度分布に基づいて、前記複数の異なる方向のうちの一の方向を選択する選択部を備え、
前記第１変更機構を制御して前記一の方向から前記赤外光を照射させる、
マイボーム腺観察装置。
【請求項２】
赤外光を出力する赤外光源を有し、眼瞼の裏面を前記赤外光で照明する赤外照明系と、
可視光を出力する可視光源を有し、前記眼瞼の裏面を前記可視光で照明する可視照明系と、
前記赤外光源を点灯及び消灯させる制御と、前記可視光源を点灯及び消灯させる制御とを行う制御部と、
光を検出して画像信号を出力する撮像素子を有し、前記眼瞼の裏面による前記赤外光の反射光を前記撮像素子に導き、かつ前記眼瞼の裏面による前記可視光の反射光を前記撮像素子に導く撮影系と、
前記赤外光の反射光を検出した前記撮像素子からの前記画像信号に基づくマイボーム腺画像を表示し、かつ前記可視光の反射光を検出した前記撮像素子からの前記画像信号に基づく可視画像を表示する表示部と、
前記眼瞼の裏面に対する前記赤外光の照射方向を変更する第１変更機構と、
前記眼瞼の裏面に対する前記可視光の照射方向を変更する第２変更機構と、
を備え、
前記撮像素子は、前記第２変更機構により複数の異なる方向から照射された前記可視光の反射光をそれぞれ検出して複数の画像信号を出力し、
前記制御部は、
前記複数の画像信号のそれぞれに基づく可視画像における輝度分布に基づいて、前記複数の異なる方向のうちの一の方向を選択する選択部を備え、
前記第１変更機構を制御して前記一の方向から前記赤外光を照射させる、
マイボーム腺観察装置。
【請求項３】
赤外光を出力する赤外光源を有し、眼瞼の裏面を前記赤外光で照明する赤外照明系と、
可視光を出力する可視光源を有し、被検眼を前記可視光で照明する可視照明系と、
前記赤外光源を点灯及び消灯させる制御と、前記可視光源を点灯及び消灯させる制御とを行う制御部と、
光を検出して画像信号を出力する撮像素子を有し、前記眼瞼の裏面による前記赤外光の反射光を前記撮像素子に導き、かつ前記被検眼による前記可視光の反射光を前記撮像素子に導く撮影系と、
前記赤外光の反射光を検出した前記撮像素子からの前記画像信号に基づくマイボーム腺画像を表示し、かつ前記可視光の反射光を検出した前記撮像素子からの前記画像信号に基づく可視画像を表示する表示部と、
前記眼瞼の裏面の撮影の開始指示を入力するための第１入力部と、
を備え、
前記制御部は、前記可視光源が点灯されているときに前記開始指示が入力されたことに対応して、前記可視光源を消灯させる制御と、前記赤外光源を点灯させる制御とを行い、
前記第１入力部は、前記撮像素子からの画像信号を解析して前記眼瞼の裏面が露出しているか否か判断することによりマイボーム腺の撮影が開始されるか否か判断する判断部を含み、
前記制御部は、前記判断部によりマイボーム腺の撮影が開始されると判断されたことに対応して、前記可視光源を消灯させる制御と、前記赤外光源を点灯させる制御とを行う、
マイボーム腺観察装置。
【請求項４】
赤外光を出力する赤外光源を有し、眼瞼の裏面を前記赤外光で照明する赤外照明系と、
可視光を出力する可視光源を有し、被検眼を前記可視光で照明する可視照明系と、
前記赤外光源を点灯及び消灯させる制御と、前記可視光源を点灯及び消灯させる制御とを行う制御部と、
光を検出して画像信号を出力する撮像素子を有し、前記眼瞼の裏面による前記赤外光の反射光を前記撮像素子に導き、かつ前記被検眼による前記可視光の反射光を前記撮像素子に導く撮影系と、
前記赤外光の反射光を検出した前記撮像素子からの前記画像信号に基づくマイボーム腺画像を表示し、かつ前記可視光の反射光を検出した前記撮像素子からの前記画像信号に基づく可視画像を表示する表示部と、
前記眼瞼の裏面の撮影の開始指示を入力するための第１入力部と、
を備え、
前記制御部は、前記可視光源が点灯されているときに前記開始指示が入力されたことに対応して、前記可視光源を消灯させる制御と、前記赤外光源を点灯させる制御とを行い、
前記第１入力部は、前記撮像素子からの画像信号を解析して当該被検者以外の物体及び／又はその影が映り込んだことを検出することによりマイボーム腺の撮影が開始されると判断する判断部を含み、
前記制御部は、前記判断部によりマイボーム腺の撮影が開始されると判断されたことに対応して、前記可視光源を消灯させる制御と、前記赤外光源を点灯させる制御とを行う、
マイボーム腺観察装置。
【請求項５】
前記眼瞼の裏面の撮影の終了指示を入力するための第２入力部を備え、
前記制御部は、前記終了指示が入力されたことに対応して、前記赤外光源を消灯させる制御と、前記可視光源を点灯させる制御とを行う、
ことを特徴とする請求項１〜請求項４のいずれか一項に記載のマイボーム腺観察装置。
【請求項６】
前記制御部は、
記憶部を有し、
各被検者についての前記マイボーム腺画像と前記可視画像とを関連付けて前記記憶部に記憶させる、
ことを特徴とする請求項１〜請求項５のいずれか一項に記載のマイボーム腺観察装置。
【請求項７】
被検眼の前眼部をスリット光で照明するスリット照明系を備え、
前記可視照明系は、前記スリット光による照明野の周囲領域に前記可視光を照射し、
前記制御部は、前記スリット照明系及び前記可視照明系を制御して前記スリット光及び前記可視光を同時に前記前眼部に照射させる、
ことを特徴とする請求項１〜請求項６のいずれか一項に記載のマイボーム腺観察装置。
【発明の詳細な説明】
【技術分野】
【０００１】
この発明はマイボーム腺観察装置に関する。
【背景技術】
【０００２】
マイボーム腺とは眼瞼に存在する皮脂腺である。マイボーム腺から供給される皮脂（油性物質）により涙液の表面に油層が形成され、涙液の過剰な蒸発が防止される。マイボーム腺は上下の眼瞼に２０〜３０本程度ずつ存在する。
【０００３】
マイボーム腺はドライアイの診断において特に注目されている。ドライアイは、涙液及び角結膜上皮の慢性疾患である。その原因は、シェーグレン症候群に代表される「涙液減少型」と、マイボーム腺機能不全（ＭＧＤ）に代表される「蒸発亢進型」とに分類できる。よって、ドライアイの原因を特定するにはマイボーム腺の状態を把握することが重要である。
【０００４】
マイボーム腺観察装置としては特許文献１に記載のものが知られている。この装置は、細隙灯顕微鏡に赤外線カメラと可視カットフィルタ（つまり赤外透過フィルタ）を設けたものであり、非接触での観察を可能としている。
【先行技術文献】
【特許文献】
【０００５】
【特許文献１】特開２００９−２８５４４７号公報
【発明の概要】
【発明が解決しようとする課題】
【０００６】
特許文献１に記載の装置では、照明光学系の光路に可視カットフィルタを挿脱することにより、可視光による前眼部観察と、赤外光によるマイボーム腺観察との切り替えを行っている。
【０００７】
このような観察方法の切り替えには、フィルタやこれを移動させるための専用の機構が必要である。この機構は被検者側に設けられた照明光学系の近傍に配置されるので、検者にとって操作しづらいという問題がある。
【０００８】
この問題を解決するために、この機構を電気的に制御することも考えられる。たとえば、検者側にスイッチを設けるとともに、このスイッチを用いた操作に対応して当該機構に駆動力を伝えるアクチュエータを設けることができる。しかし、このような構成を適用すると、装置の大型化や複雑化、更にはコストの増加などの問題が生じてしまう。したがって、この解決方法は妥当とは言い難い。
【０００９】
また、細隙灯顕微鏡においては、照明光学系の近傍のスペースが非常に限られており（被検眼に近いため）、フィルタを挿脱する機構やこれを制御する手段をここに配置させることは困難である。
【００１０】
この発明は、上記の問題を解決するためになされたものであり、その目的は、フィルタやこれを光路に挿脱する機構を設けることなく、可視光による被検眼の観察と、赤外光によるマイボーム腺の観察とを切り替えることが可能なマイボーム腺観察装置を提供することにある。
【課題を解決するための手段】
【００１１】
上記目的を達成するために、実施形態のマイボーム腺観察装置は、赤外光を出力する赤外光源を有し、眼瞼の裏面を前記赤外光で照明する赤外照明系と、可視光を出力する可視光源を有し、被検眼を前記可視光で照明する可視照明系と、前記赤外光源を点灯及び消灯させる制御と、前記可視光源を点灯及び消灯させる制御とを行う制御部と、光を検出して画像信号を出力する撮像素子を有し、前記眼瞼の裏面による前記赤外光の反射光を前記撮像素子に導き、かつ前記被検眼による前記可視光の反射光を前記撮像素子に導く撮影系と、前記赤外光の反射光を検出した前記撮像素子からの前記画像信号に基づくマイボーム腺画像を表示し、かつ前記可視光の反射光を検出した前記撮像素子からの前記画像信号に基づく可視画像を表示する表示部と、前記眼瞼の裏面に対する前記赤外光の照射方向を変更する第１変更機構と、を備え、前記撮像素子は、前記第１変更機構により複数の異なる方向から照射された前記赤外光の反射光をそれぞれ検出して複数の画像信号を出力し、前記制御部は、前記複数の画像信号のそれぞれに基づくマイボーム腺画像における輝度分布に基づいて、前記複数の異なる方向のうちの一の方向を選択する選択部を備え、前記第１変更機構を制御して前記一の方向から前記赤外光を照射させる。
【発明の効果】
【００１２】
この発明に係るマイボーム腺観察装置は、赤外照明系と、可視照明系と、制御部と、撮影系と、表示部とを有する。赤外照明系は、赤外光を出力する赤外光源を有し、眼瞼の裏面を赤外光で照明する。可視照明系は、可視光を出力する可視光源を有し、被検眼を可視光で照明する。制御部は、赤外光源を点灯及び消灯させる制御と、可視光源を点灯及び消灯させる制御とを行う。撮影系は、光を検出して画像信号を出力する撮像素子を有し、眼瞼の裏面による赤外光の反射光を撮像素子に導き、かつ被検眼による可視光の反射光を撮像素子に導く。表示部は、赤外光の反射光を検出した撮像素子からの画像信号に基づくマイボーム腺画像を表示し、かつ可視光の反射光を検出した撮像素子からの画像信号に基づく可視画像を表示する。
【００１３】
このようなマイボーム腺観察装置によれば、フィルタやこれを光路に挿脱する機構を設けることなく、可視光による被検眼の観察と、赤外光によるマイボーム腺の観察とを切り替えることが可能である。
【図面の簡単な説明】
【００１４】
【図１】この発明に係るマイボーム腺観察装置の実施形態の外観構成の一例を表す概略側面図である。
【図２】この発明に係るマイボーム腺観察装置の実施形態の光学系の構成の一例を表す概略側面図である。
【図３】この発明に係るマイボーム腺観察装置の実施形態の制御系の構成の一例を表す概略ブロック図である。
【図４】この発明に係るマイボーム腺観察装置の実施形態の制御系の構成の一例を表す概略ブロック図である。
【図５】この発明に係るマイボーム腺観察装置の実施形態の制御系の構成の一例を表す概略ブロック図である。
【発明を実施するための形態】
【００１５】
この発明に係るマイボーム腺観察装置の実施形態の一例について、図面を参照しながら詳細に説明する。以下の説明では細隙灯顕微鏡を利用した構成について特に詳しく説明するが、他の眼科装置（たとえば眼底カメラやケラトメータ）についても、以下の実施形態と同様の構成を適用することで同様の作用・効果を得ることが可能である。
【００１６】
まず方向を定義しておく。装置光学系において最も被検者側に位置するレンズ（対物レンズ）から被検者に向かう方向を前方向とし、その逆方向を後方向とする。また、前方向に直交する水平方向を左右方向をとする。更に、前後方向と左右方向の双方に直交する方向を上下方向とする。
【００１７】
〈第１の実施形態〉
［外観構成］
この実施形態に係る細隙灯顕微鏡の外観構成について、図１を参照しながら説明する。細隙灯顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１８】
細隙灯顕微鏡１はテーブル２上に載置される。なお、コンピュータ１００は他のテーブル上又はその他の場所に設置されていてもよい。基台４は、移動機構部３を介して水平方向に移動可能に構成されている。基台４は、操作ハンドル５を傾倒操作することにより移動される。
【００１９】
基台４の上面には、観察系６及び照明系８を支持する支持部１５が設けられている。支持部１５には、観察系６を支持する支持アーム１６が左右方向に回動可能に取り付けられている。支持アーム１６の上部には、照明系８を支持する支持アーム１７が左右方向に回動可能に取り付けられている。支持アーム１６、１７は、それぞれ独立に同軸で回動可能とされている。
【００２０】
観察系６は、支持アーム１６を手動で回動させることで移動される。照明系８は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばステッピングモータ（パルスモータ）により構成される。伝達機構は、たとえば歯車の組み合わせやラック・アンド・ピニオンなどによって構成される。
【００２１】
照明系８は、被検眼Ｅに照明光を照射する。照明系８は、前述のように、上下方向に延びる回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００２２】
観察系６は、被検眼Ｅによる照明光の反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」と呼ぶことにする。
【００２３】
鏡筒本体９に対峙する位置には顎受け台１０が配置されている。顎受け台１０には、被検者の顔を安定配置させるための顎受部１０ａと額当て１０ｂが設けられている。
【００２４】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。
【００２５】
鏡筒本体９の上方には可視光源６１が設けられている。可視光源６１は可視光を出力する。可視光源６１は、たとえば白色発光ダイオード（ＬＥＤ：Ｌｉｇｈｔ  Ｅｍｉｔｔｉｎｇ  Ｄｉｏｄｅ）である。可視光源６１からの可視光は、被検眼Ｅの前眼部をスリット光で観察するときの背景照明光として、また前眼部やその周囲（眼瞼の裏面など）を観察するための照明光として用いられる。背景照明光とは、スリット光と同時に照射される光であって、スリット光による照明野の周囲領域に照射される光である。可視光源６１は可視照明系を構成する。可視照明系は、可視光源６１から出力された可視光を拡散する拡散板を備えていてもよい。それにより、可視光による照明野の明るさの一様化を図ることができる。
【００２６】
鏡筒本体９の下方には赤外光源６２が設けられている。赤外光源６２は赤外光を出力する。赤外光源６２は、たとえば赤外発光ダイオードである。赤外光源６２からの赤外光は、マイボーム腺を観察するときに眼瞼の裏面に照射される。なお、マイボーム腺を観察するときには、従来と同様に、眼瞼を裏返してその裏面が露出される。この赤外光の用途はこれには限定されず、たとえば前眼部の観察に用いることが可能である。赤外光源６２は赤外照明系を構成する。赤外照明系は、赤外光源６２から出力された赤外光を拡散する拡散板を備えていてもよい。それにより、赤外光による照明野の明るさの一様化を図ることができる。
【００２７】
［光学系の構成］
細隙灯顕微鏡１の光学系の構成について、図２を参照しながら説明する。細隙灯顕微鏡１の光学系には、従来と同様の観察系６と照明系８に加え、前述の可視照明系と赤外照明系が設けられている。
【００２８】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２９】
観察系６の左右の各光学系は、対物レンズ３１、変倍光学系３２、絞り３３、リレーレンズ３５、プリズム３６及び接眼レンズ３７を有する。ビームスプリッタ３４は、左右の光学系の一方のみに又は双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００３０】
変倍光学系３２は、複数（たとえば２枚）の変倍レンズ３２ａ、３２ｂを含んで構成される。各変倍レンズ３２ａ、３２ｂは観察光軸Ｏ１に沿って移動可能とされている。それにより、被検眼Ｅの肉眼観察像や撮影画像の倍率（画角）を変更できる。倍率の変更は、観察倍率操作ノブ１１を操作することにより行われる。また、図示しないスイッチ等を用いて電動で倍率を変更するように構成してもよい。
【００３１】
ビームスプリッタ３４は、観察光軸Ｏ１に沿って進む光を二分割する。ビームスプリッタ３４を透過した光は、リレーレンズ３５、プリズム３６及び接眼レンズ３７を介して検者眼Ｅｏに導かれる。プリズム３６は、２つの光学素子３６ａ、３６ｂを含み、光の進行方向を上方に平行移動させる。
【００３２】
他方、ビームスプリッタ３４により反射された光は、リレーレンズ４１及びミラー４２を介して、撮像装置１３の撮像素子４３に導かれる。撮像素子４３は、この反射光を検出して画像信号を生成する。観察系６に含まれる部材のうち撮像素子４３を終端とする光路を形成する部材は「撮影系」を構成する。
【００３３】
〔照明系〕
照明系８は、光源５１、リレーレンズ５２、照明絞り５６、集光レンズ５３、細隙（スリット）形成部５４及び集光レンズ５５を有する。符号Ｏ２は、照明系８の光軸（照明光軸）を示す。照明系８は「スリット照明系」の一例である。
【００３４】
光源５１は照明光を出力する。なお、照明系８に複数の光源を設けてもよい。たとえば、定常光を出力する光源（ハロゲンランプ、ＬＥＤ等）と、フラッシュ光を出力する光源（キセノンランプ、ＬＥＤ等）の双方を光源５１として設けることができる。また、角膜観察用の光源と眼底観察用の光源とを別々に設けてもよい。
【００３５】
細隙形成部５４は、スリット光（細隙光）を生成するために用いられる。細隙形成部５４は、一対のスリット刃を有する。これらスリット刃の間隔を変更することによりスリットの幅が変更される。
【００３６】
照明絞り５６は、その透光部のサイズを変更可能に構成されている。照明絞り５６は、特に眼底観察において有効である。たとえば、照明絞り５６には、角膜Ｅｃや水晶体による照明光の反射を低減させたり、照明光の明るさを調整したりといった用途がある。
【００３７】
〔可視照明系〕
可視照明系は被検眼Ｅを可視光で照明する。可視照明系は可視光源６１を含んで構成される。可視照明系は、拡散板等の任意の光学素子を備えていてもよい。可視照明系は、前眼部をスリット光で観察するときに背景照明光を照射する。また、可視照明系は、前眼部やその周囲（眼瞼の裏面など）を観察するための照明光を照射する。
【００３８】
〔赤外照明系〕
赤外照明系は、マイボーム腺を観察（撮影）するために、眼瞼の裏面を赤外光で照明する。赤外照明系は赤外光源６２を含んで構成される。赤外照明系は、拡散板等の任意の光学素子を備えていてもよい。
【００３９】
なお、可視照明系及び／又は赤外照明系の形態（使用される光学素子やそれらの配置）は、上記に限定されるものではない。たとえば、可視照明系は、可視光源６１からの可視光を被検眼Ｅに向けて反射する光学素子（第２反射部材）を備えていてもよい。同様に、赤外照明系は、赤外光源６２からの赤外光を眼瞼の裏面に向けて反射する光学素子（第１反射部材）を備えていてもよい。第１反射部材と第２反射部材の双方が設けられる場合、これらを別体としてもよいし、単一の部材としてもよい。この単一の部材の例としてミラー１２を適用することができる（図示省略）。
【００４０】
［制御系の構成］
細隙灯顕微鏡１の制御系について、図３を参照しながら説明する。細隙灯顕微鏡１の制御系は、制御部１０１を中心に構成されている。なお、図３には、この実施形態で特に注目する構成部位のみが記載されており、それ以外の構成部位は省略されている。
【００４１】
〔制御部〕
制御部１０１は、細隙灯顕微鏡１の各部を制御する。たとえば、制御部１０１は、観察系６の制御、照明系８の制御、可視照明系の制御、赤外照明系の制御、などを行う。観察系６の制御としては、変倍光学系３２の制御、絞り３３の制御、撮像素子４３の電荷蓄積時間、感度、フレームレート等の制御などがある。照明系８の制御としては、光源５１の制御、照明絞り５６の制御、細隙形成部５４の制御などがある。可視照明系の制御としては、可視光源６１の制御などがある。赤外照明系の制御としては、赤外光源６２の制御などがある。
【００４２】
制御部１０１には記憶部１０２が設けられている。制御部１０１は、記憶部１０２に記憶されたデータの読み出し処理や、記憶部１０２に対するデータの書き込み処理を行う。
【００４３】
制御部１０１は、マイクロプロセッサ、ＲＡＭ、ＲＯＭ、ハードディスクドライブ等を含んで構成される。このハードディスクドライブには、制御プログラムが予め記憶されている。制御部１０１の動作は、この制御プログラムと上記ハードウェアとの協働によって実現される。
【００４４】
制御部１０１は、細隙灯顕微鏡１の装置本体（たとえば基台４内）やコンピュータ１００に配置される。
【００４５】
〔表示部〕
表示部１０３は、制御部１０１の制御を受けて各種の情報を表示する。表示部１０３は、ＬＣＤ等のフラットパネルディスプレイ、ＣＲＴディスプレイなどの任意の表示デバイスを含んで構成される。表示部１０３は、細隙灯顕微鏡１の装置本体に設けられていてもよいし、コンピュータ１００に設けられていてもよい。
【００４６】
〔操作部〕
操作部１０４は、操作デバイスや入力デバイスを含んで構成される。操作部１０４には、装置本体に設けられたボタンやスイッチ（たとえば操作ハンドル５等）や、コンピュータ１００のマウス、キーボードなどが含まれる。また、トラックボール、専用の操作パネル、スイッチ、ボタン、ダイアルなど、任意の操作デバイスや入力デバイスを用いることも可能である。
【００４７】
図３では、表示部１０３と操作部１０４とを別々に表しているが、これらを一体的に構成することも可能である。その具体例として、タッチパネル式のＬＣＤを用いることができる。
【００４８】
操作部１０４は、特に、マイボーム腺の撮影開始指示及び撮影終了指示の入力に用いられる。操作部１０４は「第１入力部」及び「第２入力部」の一例である。なお、第１入力部と第２入力部は共通のデバイスであってもよいし、異なるデバイスであってもよい。
【００４９】
［動作］
細隙灯顕微鏡１の動作について説明する。
【００５０】
〔マイボーム腺の撮影〕
マイボーム腺の撮影では、被検者の眼瞼が裏返しにされる。検者は操作部１０４を用いてマイボーム腺の撮影の開始を指示する。この指示を受けた制御部１０１は、赤外光源６２を点灯させる。赤外光源６２からの赤外光は、眼瞼の裏面に照射される。撮像素子４３は、眼瞼の裏面による赤外光の反射光を検出して画像信号を出力する。制御部１０１は、この画像信号を受けて、この画像信号に基づく画像（マイボーム腺画像）を表示部１０３に表示させる。
【００５１】
なお、マイボーム腺の撮影態様としては、フラッシュ光を用いて静止画像を取得するもの、定常光を用いて所定のフレームレートの動画像を取得するもの、定常光を用いつつ撮像素子４３を制御して静止画像を取得するものなどがある。
【００５２】
〔前眼部の撮影〕
検者は操作部１０４を用いて前眼部の撮影の開始を指示する。この指示を受けた制御部１０１は、可視光源６１を点灯させる。可視光源６１からの可視光は、被検眼Ｅの前眼部に照射される。撮像素子４３は、前眼部による可視光の反射光を検出して画像信号を出力する。制御部１０１は、この画像信号を受けて、この画像信号に基づく前眼部の画像（可視画像）を表示部１０３に表示させる。
【００５３】
なお、前眼部の撮影態様としては、フラッシュ光を用いて静止画像を取得するもの、定常光を用いて所定のフレームレートの動画像を取得するもの、定常光を用いつつ撮像素子４３を制御して静止画像を取得するものなどがある。
【００５４】
可視光を用いた撮影対象は前眼部には限定されず、被検眼Ｅの任意の部位であってよい。また、可視光を用いて眼瞼の表面や裏面を撮影することもできる。なお、一般に前眼部像には前眼部だけでなく眼瞼も描画される。
【００５５】
〔前眼部の撮影からマイボーム腺の撮影への移行〕
可視光を用いて前眼部を撮影（又は観察）した後に、赤外光を用いてマイボーム腺を撮影（観察）することがある。制御部１０１は、可視光源６１を点灯させているときにマイボーム腺の撮影の開始指示の入力を受けると、可視光源６１を消灯させ、かつ赤外光源６２を点灯させる。それにより、前眼部の撮影からマイボーム腺の撮影へスムースに移行できる。
【００５６】
なお、マイボーム腺の撮影開始の指示は、前述した操作部１０４を用いるものには限定されない。たとえば、撮像素子４３からの画像信号を解析してマイボーム腺の撮影が開始されるか否か判断するように構成できる。この画像信号は、前眼部の撮影によるものでも、マイボーム腺の撮影によるものでも、照明系８を用いた撮影によるものでもよい。
【００５７】
マイボーム撮影が開始されるか否かは、たとえば次のようにして判断できる。第１の手法として、前眼部像の画素値（輝度値等）を解析することにより、眼瞼の裏面が露出しているか否かを判断し、それによりマイボーム腺の撮影が開始されるか否か決定できる。このときの解析処理としては、前眼部の強膜に相当する画像領域の形状や面積を解析する方法、眼瞼に相当する画像領域の輝度値（表面と裏面との間における光反射率の違いに基づく輝度の違い）を解析する方法などがある。
【００５８】
第２の手法として、前眼部を動画撮影しているときに、被検者以外の物体やその影が画像に映り込んだことを検出し、それによりマイボーム腺の撮影が開始されると判断することができる。画像に映り込む物体や影は、眼瞼を裏返すときの検者の指や部材（綿棒等）、若しくはそれらの影である。物体や影の映り込みの検出処理としては、動画像のフレームにおける輝度の変化を監視する方法や、描画領域の外からの物体や影の進入を検出する方法などがある。
【００５９】
制御部１０１は、このような解析処理によりマイボーム腺の撮影が開始されると判断されたことに対応して、可視光源６１を消灯させる制御と、赤外光源６２を点灯させる制御とを行う。上記解析処理を実行する制御部１０１は「判断部」の一例である。
【００６０】
〔マイボーム腺の撮影から前眼部の撮影への移行〕
赤外光を用いてマイボーム腺を撮影（観察）した後に、可視光を用いて前眼部を撮影（又は観察）することがある。制御部１０１は、赤外光源６２を点灯させているときにマイボーム腺の撮影の終了指示の入力を受けると、赤外光源６２を消灯させ、かつ可視光源６１を点灯させる。それにより、マイボーム腺の撮影から前眼部の撮影へスムースに移行できる。
【００６１】
この場合においても、画像信号を解析してマイボーム腺の撮影が終了されるか否か判断し、終了されると判断されたことに対応して赤外光源６２を消灯させる制御と、可視光源６１を点灯させる制御とを行うように構成することができる。
【００６２】
〔撮影画像の保存〕
ドライアイの診断等において、前眼部像とマイボーム腺画像の双方を取得することがある。その場合、制御部１０１は、前眼部像とマイボーム腺画像とを関連付けて記憶する。この処理について説明する。
【００６３】
前提として、被検者識別情報（患者ＩＤ等）と左右眼情報とが入力される。被検者識別情報の入力態様としては、検者が操作部１０４を用いて行う方法や、制御部１０１が当該患者の電子カルテから自動で取得する方法などがある。左右眼情報の入力態様としては、検者が操作部１０４を用いて行う方法や、制御部１０１が当該患者の電子カルテから自動で取得する方法や、細隙灯顕微鏡１のセッティング（つまり各部の配置状態）から取得する方法などがある。セッティングから取得する方法としては、基台４の左右方向における位置をセンサで検出して被検眼Ｅが左眼か右眼か判別する方法、光学系（観察系６、照明系８等）の左右方向への回動状態をセンサで検出して左眼か右眼か判別する方法、被検眼Ｅの撮影画像（前眼部像等）を解析して左眼か右眼か判別する方法などがある。
【００６４】
制御部１０１は、入力された被検者識別情報及び左右眼情報と、マイボーム腺画像及び可視画像とを関連付けて記憶部１０２に記憶させる。患者ＩＤと左右眼情報が入力されると、制御部１０１は、入力された情報に関連付けられたマイボーム腺画像と可視画像とを記憶部１０２から読み出して表示部１０３に表示させる。なお、一方の画像のみを読み出すようにしてもよい。
【００６５】
［効果］
細隙灯顕微鏡１（マイボーム腺観察装置）の効果について説明する。
【００６６】
細隙灯顕微鏡１は、赤外照明系と、可視照明系と、制御部１０１と、撮影系と、表示部１０３とを有する。赤外照明系は、赤外光を出力する赤外光源６２を有し、眼瞼の裏面を赤外光で照明する。可視照明系は、可視光を出力する可視光源６１を有し、被検眼Ｅを可視光で照明する。制御部１０１は、赤外光源６２を点灯及び消灯させる制御と、可視光源６１を点灯及び消灯させる制御とを行う。撮影系は、観察系６の一部からなり、光を検出して画像信号を出力する撮像素子４３を有し、眼瞼の裏面による赤外光の反射光を撮像素子４３に導き、かつ被検眼Ｅによる可視光の反射光を撮像素子４３に導く。表示部１０３は、赤外光の反射光を検出した撮像素子４３からの画像信号に基づくマイボーム腺画像を表示し、かつ可視光の反射光を検出した撮像素子４３からの画像信号に基づく可視画像を表示する。
【００６７】
このような細隙灯顕微鏡１によれば、従来のようなフィルタやこれを光路に挿脱する機構を設けることなく、可視光による被検眼の観察と、赤外光によるマイボーム腺の観察とを切り替えることが可能である。
【００６８】
また、細隙灯顕微鏡１は第１入力部を備える。第１入力部は、操作部１０４や制御部１０１（判断部）等により構成され、眼瞼の裏面の撮影の開始指示を入力するために用いられる。制御部１０１は、可視光源６１が点灯されているときに当該開始指示が入力されたことに対応して、可視光源６１を消灯させる制御と、赤外光源６２を点灯させる制御とを行う。
【００６９】
第１入力部として判断部を用いる場合、判断部は、撮像素子４３からの画像信号を解析してマイボーム腺の撮影が開始されるか否か判断する。制御部１０１は、判断部によりマイボーム腺の撮影が開始されると判断されたことに対応して、可視光源６１を消灯させる制御と、赤外光源６２を点灯させる制御とを行う。
【００７０】
このような細隙灯顕微鏡１によれば、可視光を用いる撮影から赤外光を用いる撮影に迅速かつ円滑に移行することができる。特に、判断部が用いられる場合には、赤外光を用いる撮影への移行を検出して自動で光源を切り替えることができるので、よりスムースな移行が可能となる。
【００７１】
また、細隙灯顕微鏡１は第２入力部を備える。第２入力部は、操作部１０４や制御部１０１（判断部）等により構成され、眼瞼の裏面の撮影の終了指示を入力するために用いられる。制御部１０１は、赤外光源６２が点灯されているときに当該終了指示が入力されたことに対応して、赤外光源６２を消灯させる制御と、可視光源６１を点灯させる制御とを行う。
【００７２】
このような細隙灯顕微鏡１によれば、赤外光を用いる撮影から可視光を用いる撮影に迅速かつ円滑に移行することができる。特に、判断部が用いられる場合には、可視光を用いる撮影への移行を検出して自動で光源を切り替えることができるので、よりスムースな移行が可能となる。
【００７３】
また、細隙灯顕微鏡１の制御部１０１には記憶部１０２が設けられている。制御部１０１は、各被検者についてのマイボーム腺画像と可視画像とを関連付けて記憶部１０２に記憶させる。この関連付けは、被検者識別情報に基づいてなされる。また、左右眼情報も利用することにより、同一被検者の左眼の画像と右眼の画像とを区別して保存することが可能となる。
【００７４】
また、細隙灯顕微鏡１は、被検眼Ｅの前眼部をスリット光で照明するスリット照明系を備える。可視照明系は、スリット光による照明野の周囲領域に可視光を照射する。制御部１０１は、スリット照明系及び可視照明系を制御して、スリット光及び可視光を同時に前眼部に照射させる。
【００７５】
このような構成によれば、可視照明系からの可視光を、スリット光での観察・撮影時における背景照明光として用いることが可能となる。
【００７６】
〈第２の実施形態〉
この実施形態では、赤外光の照射方向を変更可能なマイボーム腺観察装置について説明する。マイボーム腺の観察や撮影は眼瞼を裏返して行うものであり、また左眼の眼瞼と右眼の眼瞼を、更には上眼瞼と下眼瞼を観察することもある。したがって、赤外線の照射方向を変更することにより、より適切に観察部位を照明することが可能となる。
【００７７】
なお、この実施形態に係る装置の構成は第１の実施形態とほぼ同様である。よって、共通の構成部位については同じ符号を用いることにする。また、第１の実施形態と共通の説明については省略することがある。
【００７８】
この実施形態の細隙灯顕微鏡は、第１の実施形態で説明した構成に加えて、眼瞼の裏面に対する赤外光の照射方向を変更する機構（第１変更機構）を有する。第１変更機構は、手動で駆動されるものであっても、電動で駆動するものであってもよい。
【００７９】
照射方向の変更態様としては、たとえば観察光軸Ｏ１を中心とする周回軌道又は弧状軌道に沿うもの、観察光軸Ｏ１に対する距離を変更する軌道に沿うもの、任意方向に移動するもの、これらの組み合わせなどがある。また、照射方向の変更方法としては、赤外光源６２を移動させる方法や、赤外光の進行方向を変更する方法や、これらの組み合わせなどがある。
【００８０】
赤外光源６２を移動させる構成としては、軌道に対応する形状のレールに沿って赤外光源６２を移動させる構成や、可撓性を有するアームに赤外光源６２を取り付ける構成などがある。また、赤外光の進行方向を変更する構成としては、反射面の向きを変更可能なミラーを用いる構成などがある。
【００８１】
この実施形態の細隙灯顕微鏡の構成例を図４に示す。この細隙灯顕微鏡は、第１の実施形態の構成に加え、選択部１１０と第１変更機構２００とを有する。第１変更機構２００は、前述のように眼瞼の裏面に対する赤外光の照射方向を変更するものである。
【００８２】
選択部１１０について説明する。前提として、この実施形態では、第１変更機構２００により赤外光の照射方向を変更しつつ複数回の撮影を行う。このとき、撮像素子４３は、複数の異なる方向から照射された赤外光の反射光をそれぞれ検出して複数の画像信号を出力する。これら画像信号は制御部１０１に送られる。
【００８３】
選択部１１０は、これら画像信号を解析して、上記複数の照射方向のうちの一つを選択する。この選択処理は、たとえば、各画像信号に基づくマイボーム腺画像における輝度分布に基づいて実行される。この輝度分布は、たとえば、画像の全体又は一部における輝度値の大きさ及び／又はその統計値である。具体例として、選択部１１０は、各画像信号に基づくマイボーム腺画像の平均輝度値を求め、平均輝度値が最も大きいマイボーム腺画像に対応する照射方向を特定し、これを選択結果とする。なお、統計値は平均値には限定されず、たとえば最大値、最小値、極大値、極小値、中央値、最頻値、分散、標準偏差など、複数の値に対して統計処理を施すことで導出される値であればよい。ただし、好適なマイボーム腺画像が得られるような統計値が任意に選択されて使用される。
【００８４】
また、眼瞼の裏面に残存する涙などにより、画像の全体又は一部の明るさが過度になることがある。このような画像が得られることを防止するために、選択部１１０は、マイボーム腺画像における輝度分布から、過度の明るさを持つ画像領域の有無を特定し、そのような画像領域を含むマイボーム腺画像を選択対象から除外して照射方向の選択を行うように構成することが可能である。過度の明るさを持つ画像領域の有無を特定する処理は、たとえば閾値処理により行うことができる。また、輝度値が飽和している画素の有無を特定することにより当該画像領域の有無の特定を行うように構成することも可能である。また、マイボーム腺画像における輝度値の大きい部分と小さい部分との相違（差、比など）に基づいて、過度の明るさを持つ画像領域の有無の特定を行うように構成することも可能である。
【００８５】
制御部１０１は、選択部１１０により選択された照射方向から赤外光を照射させるように第１変更機構を制御する。
【００８６】
このような細隙灯顕微鏡によれば、好適な明るさのマイボーム腺画像を容易に得る事が可能である。また、眼瞼の裏面に残存する涙などによる悪影響を防止することが可能である。
【００８７】
なお、上記のように赤外光の照射方向を自動で変更する代わりに、選択部１１０により選択された照射方向を表示部１０３に表示させるように構成することも可能である。それにより、第１変更機構を手動で駆動させる場合であっても、同様の効果が得られる。
【００８８】
〈第３の実施形態〉
この実施形態では、赤外光の照射方向と可視光の照射方向をそれぞれ変更可能なマイボーム腺観察装置について説明する。この実施形態に係る装置の構成は第２の実施形態とほぼ同様である。よって、共通の構成部位については同じ符号を用いることにする。また、第２の実施形態と共通の説明については省略することがある。
【００８９】
この実施形態の細隙灯顕微鏡は、第２の実施形態で説明した構成に加えて、眼瞼の裏面に対する可視光の照射方向を変更する機構（第２変更機構）を有する。第２変更機構は、手動で駆動されるものであっても、電動で駆動するものであってもよい。また、可視光や赤外光の照射方向の変更態様や変更方向については、第２の実施形態と同様でよい。なお、この実施形態の可視照明系は、被検眼Ｅだけでなく、眼瞼の裏面にも可視光を照射するものであるが、可視光の照射範囲は比較的広いので特に構成変更の必要はない。
【００９０】
この実施形態の細隙灯顕微鏡の構成例を図５に示す。この細隙灯顕微鏡は、第２の実施形態の構成に加え、第２変更機構３００を有する。第２変更機構３００は、前述のように眼瞼の裏面に対する可視光の照射方向を変更するものである。第２変更機構３００の構成は第１変更機構２００と同様でよい。
【００９１】
選択部１１０について説明する。前提として、この実施形態では、第２変更機構２００により可視光の照射方向を変更しつつ複数回の撮影を行う。このとき、撮像素子４３は、複数の異なる方向から照射された可視光の反射光をそれぞれ検出して複数の画像信号を出力する。これら画像信号は制御部１０１に送られる。
【００９２】
選択部１１０は、これら画像信号を解析して、上記複数の照射方向のうちの一つを選択する。この選択処理は、第２の実施形態と同様でよい。特に、過度の明るさを持つ画像領域を含むマイボーム腺画像を除外して照射方向の選択を行うように、選択部１１０を構成することが可能である。
【００９３】
制御部１０１は、選択部１１０により選択された照射方向から赤外光を照射させるように第１変更機構を制御し、赤外光源６２に赤外光を出力させる。
【００９４】
このような細隙灯顕微鏡によれば、好適な明るさのマイボーム腺画像を容易に得る事が可能である。また、眼瞼の裏面に残存する涙などによる悪影響を防止することが可能である。
【００９５】
なお、上記のように赤外光の照射方向を自動で変更する代わりに、選択部１１０により選択された照射方向を表示部１０３に表示させるように構成することも可能である。それにより、第１変更機構を手動で駆動させる場合であっても、同様の効果が得られる。
【００９６】
以上第１〜第３の実施形態として説明した構成は、この発明を実施するための一具体例に過ぎない。この発明を実施しようとする者は、この発明の要旨の範囲内における任意の変形を適宜に施すことが可能である。
【符号の説明】
【００９７】
１  細隙灯顕微鏡（マイボーム腺観察装置）
６  観察系
８  照明系
４３  撮像素子
６１  可視光源
６２  赤外光源
１００  コンピュータ
１０１  制御部
１０２  記憶部
１０３  表示部
１０４  操作部
１１０  選択部
２００  第１変更機構
３００  第２変更機構
Ｏ１  観察光軸
Ｅ  被検眼
【図１】
0005748268.tif 000002
【図２】
0005748268.tif 000003
【図３】
0005748268.tif 000004
【図４】
0005748268.tif 000005
【図５】
0005748268.tif 000006